(57)【要約】      （修正有）【課題】自動車用鉛蓄電池は重量物で運搬に労力が掛かり、労力を低減する取手付きの電池は、顧客が包装箱から電池を取り出すときの安全性に問題があるため、運搬者の労力を軽減できるとともに、顧客の安全性を高めた電池用包装箱を提供する。【解決手段】電池用包装箱１の上面外フラップ４に電池の取手２を外部に引き出すための開口部５を設け、開口部は取手を出す２つの穴と中央部に切れ込み６ａ、６ｂを有し、切れ込みに平行に折り曲げ線７ａ、７ｂを有する。開口部５、および切れ込み６はミシン目加工で形成させる。【選択図】図１
2010238522.tif 000002
【特許請求の範囲】
【請求項１】
電池を包装するための箱であって、上面外フラップに電池の取手を外部に引き出すための開口部を設け、前記開口部は取手を出す２つの穴と中央部に切れ込みを有し、前記切れ込みに平行に折り曲げ線を有することを特徴とする電池用包装箱。
【請求項２】
前記折り曲げ線は、上面外フラップの裏側の凹溝または部分的なミシン目で形成されていることを特徴とする請求項１記載の電池用包装箱。
【発明の詳細な説明】
【技術分野】
【０００１】
本発明は、自動車用鉛蓄電池などの電池を保護するための包装箱に関するもので、特に取手付き電池に関するものである。
【背景技術】
【０００２】
自動車用鉛蓄電池（以下電池と略す）は重量物のため、電池本体に取手を付けて運搬しやすくしている。電池用の取手は、工場出荷から店頭を経て一般ユーザー（顧客）に渡るまでに付いていれば良い。また、電池は運搬中のこすれ、汚れの付着を防ぐために、段ボール製の包装箱に入れられる。取手付きの包装箱は、包装箱の天面の一部を開口させたり、切り込みを形成させたりして、取手を開口部から飛び出した状態にするのが一般的である。この場合、顧客に渡るまで開口部の大きさや切り込み形状が不適切であると、荷扱いや包装箱からの取り出しに支障をきたしていた。
【０００３】
上記のような問題を解決する手段として、包装箱天面に一本の切れ込みと、中間部に開口部と、切り込みの両端部に略Ｙ字形の切り込みを備える蓄電池用包装箱が特許文献１に開示されている。
【先行技術文献】
【特許文献】
【０００４】
【特許文献１】実開平７−７０６６号公報
【発明の概要】
【発明が解決しようとする課題】
【０００５】
先行技術は、店頭輸送まで取手が包装箱に収納されている。自動車用鉛蓄電池は重量物（約８〜２２ｋｇ）であり、取手がないと包装箱の底面を持って運ぶことになる。トラックからの荷降ろしや小売店での陳列に従事する人には、重量物を両手で抱えて運ぶという労力がかかっていた。
【０００６】
また、顧客が包装箱から取手を出す場合、不慣れなために切れ込みのカット面で指をいためたり、ときには切ってしまうこともあった。
【０００７】
本発明の目的は、運搬者の労力軽減と顧客の安全性を高めた電池用包装箱を提供することである。
【課題を解決するための手段】
【０００８】
本発明の電池用包装箱は、上面外フラップに電池の取手を外部に引き出すための開口部を設け、前記開口部は取手を出す２つの穴と中央部に切れ込みを有し、前記切れ込みに平行に折り曲げ線を有することを特徴とする。前記折り曲げ線は、上面外フラップの裏側の凹溝または部分的なミシン目で形成されていることを特徴とする。
【０００９】
上記の電池用包装箱では、工場出荷時に電池の側面に嵌め込まれた取手を上面外フラップに設けた開口部から引き出す。取手が包装箱から突出しているので、輸送、店頭での運搬時の労力が軽減される。顧客が電池を取り出す時には、包装箱の上面外フラップ、内フラップを開くだけで電池を取り出せるので、開口部の切り口に触れることはない。また、開口部は取手を出す２つの穴にとどめ、露出部を最小限に抑えることで、運搬中並びに店頭在庫中の埃、塵の侵入を抑制する。
【発明の効果】
【００１０】
以上のように本発明では、運搬者の労力を軽減できるとともに、顧客の安全性を高めた電池用包装箱を得ることができる。
【図面の簡単な説明】
【００１１】
【図１】本発明の電池用包装箱である。
【図２】取手付き電池の外観である。
【図３】取手付き電池を包装箱に納めた図である。
【発明を実施するための形態】
【００１２】
以下、本発明を実施例に基づいて詳細に説明するが、本発明は下記実施例に限定されるものではなく、その要旨を変更しない範囲において適宜変更して実施することができる。
【実施例】
【００１３】
本発明の一実施例を説明する。
【００１４】
図２に取手付き電池３の外観を示す。取手付き電池３の蓋部３ａに取手２が付けられている。取手２は先端に突起があり、蓋部３ａの切り込みに差し込まれている。取手２は電池を自動車に搭載するときには不用なものであり、顧客または整備士からは手間を掛けずに取手２を外すことが求められる。この取手２はポリプロピレン製で柔軟性があり、先端の突起を前記蓋部３ａの切り込みからずらすことで、蓋部３ａから容易に着脱できる。
【００１５】
図３に取手付き電池３を包装箱１に納めた状態を示す。包装箱１は段ボール製で、表面には商品名、電池の形式などが印刷される。取手２は包装箱１に設けた切り欠きにはまるようにする。
【００１６】
図１は図３の上面外フラップ４を閉めた状態の電池用包装箱１である。前記取手２は、上面外フラップ４の開口部５から突出するようにする。この状態で包装箱１の運搬が可能になる。
【００１７】
次に開口部５と取手２について説明する。開口部５は取手２を出す２つの穴である。この穴は機械でミシン目をつけて、手作業または機械で打ち抜いてつくる。開口部５間の中央部に切れ込み６ａを有し、切れ込み６ａの両側に取手２の幅に沿って平行に折り曲げ線７ａが設けられている。切れ込み６ａもミシン目加工で形成される。さらに、開口部５の両端から包装箱１の短側面方向に切り込み６ｂが、取手２の引き出す口の両端に設けられ、これらは折り曲げ線７ｂの両端に位置する。開口部５、切れ込み６ａ及び折り曲げ線７ａにより囲まれた部分を、開口部フラップ８とする。折り曲げ線７ａは段ボールにローラを押し当てて凹溝を形成させるか、またはミシン目を部分的につけることで形成させる。
【００１８】
上面上フラップ４を閉めると、取手２が開口部フラップ８に接触する。開口部フラップ８には切れ込み６ａと折り曲げ線７ａがあるので、折り曲げ線７ａを起点にして開口部フラップ８が包装箱１の外側の方向へ折れ曲がる。この状態で、取手２を開口部５から引き出した格好になる。包装箱１は段ボール製で適度の弾性があるため、開口部フラップ８は取手２を引き出すために一度変形しても、手で軽く押さえることで図１のように元の状態に戻る。
【００１９】
本発明の包装箱１は、工場出荷時から小売店までの流通ルートでは図１の状態であり、取手２を持つことで運搬の労力が低減できる。小売店では数段積みで陳列される。下段の包装箱１では、電池の重さにより取手２が開口部フラップ８の下に沈みこむ。取手２は弾力性があり、二重のアーチ構造のため、上段の電池がなくなると図２の状態に復帰する。また、開口部は取手を出す２つの穴にとどめ、露出部を最小限に抑えることで、運搬中並びに店頭在庫中の埃、塵の侵入を抑制する。
【００２０】
顧客が電池３を取り出す時には、包装箱１の上面外フラップ４を開いて、内側のフラップを開梱してゆく。フラップが開放された状態で取手２をつかみ電池３を引き出す。この操作で顧客が開口部５の切り口に触れず、手をいためることもなく安全性が確保できる。
【符号の説明】
【００２１】
１  包装箱
２  取手
３  取手付き電池
３ａ  蓋部
４  上面上フラップ
４a  差し込み部
５  開口部
６a  切れ込み
６ｂ  切れ込み
７a  折り曲げ線
７ｂ  折り曲げ線
８  開口部フラップ
【図１】
2010238522.tif 000003
【図２】
2010238522.tif 000004
【図３】
2010238522.tif 000005